(57)【要約】【課題】、簡単な操作により複雑で多様な反射像を得ることが可能な万華鏡を提供する。【解決手段】筒体２の一端部の端面に覗き穴４を形成すると共に、該筒体２の他端部に、多数の彩色小片を収容した透明な容器７を設け、該筒体２の内部に複数の鏡体６、９を設けた万華鏡において、該筒体２の表面に操作手段１１を設け、該操作手段１１の操作に連動して１の鏡体９の表面を覆うか或いは露出する邪魔板１３を前記筒体２の内部に設けた。【選択図】図１
2014052409.tif 000002
【特許請求の範囲】
【請求項１】
筒体の一端部の端面に覗き穴を形成すると共に、該筒体の他端部に、多数の彩色小片を収容した透明な容器を設け、該筒体の内部に複数の鏡体を設けた万華鏡において、該筒体の表面に操作手段を設け、該操作手段の操作に連動して１の鏡体の表面を覆うか或いは露出する邪魔板を前記筒体の内部に設けたことを特徴とする万華鏡。
【請求項２】
前記１の鏡体は、前記筒体の内部に長手方向に所定の間隔で配設した複数の小鏡体からなり、前記内部に、前記操作手段に連動して長手方向に移動する移動板を設けると共に、該移動板に、前記各小鏡体の表面をそれぞれ覆うか或いは露出する前記邪魔板を設けたことを特徴とする請求項１に記載の万華鏡。
【請求項３】
前記小鏡体と前記邪魔板は、前記内部の内面に対して傾斜して設けられていることを特徴とする請求項２に記載の万華鏡。
【発明の詳細な説明】
【技術分野】
【０００１】
本発明は、簡単な操作により複雑で多様な反射像を得ることが可能な万華鏡に関する。
【背景技術】
【０００２】
従来の万華鏡の１例として、筐体の内部に三角形状に組まれたミラーを配設し、該筐体の根部の端面に覗き穴を形成すると共に、該筐体の先端部に貫通孔を形成して該貫通孔に、内部に多数の彩色ビーズを収容した透明筒体を摺動或いは回転可能に挿通したものが知られている（特許文献１参照）。
【先行技術文献】
【特許文献】
【０００３】
【特許文献１】特開２００７−３３９７４号公報
【発明の概要】
【発明が解決しようとする課題】
【０００４】
しかし、この従来の万華鏡によると、透明筒体を摺動或いは回転したときの該透明筒体内の彩色ビーズの動きを筐体の内部に三角形状に組まれたミラーにより単に反射し、この反射した反射像を該筐体の根部の端面の覗き穴から見るように構成されているので、その反射像は一様である。
【０００５】
本発明は簡単な操作により複雑で多様な反射像を得ることができる万華鏡を提供することを目的とする。
【課題を解決するための手段】
【０００６】
本発明はこの目的を達成すべく、筒体の一端部の端面に覗き穴を形成すると共に、該筒体の他端部に、多数の彩色小片を収容した透明な容器を設け、該筒体の内部に複数の鏡体を配設した万華鏡において、該筒体の表面に操作手段を設け、該操作手段の操作に連動して１の鏡体の鏡面を覆うか或いは露出する邪魔板を前記筒体の内面に設けたことを特徴とする。
【発明の効果】
【０００７】
本発明によれば、簡単な操作により複雑で多様な反射像を得ることができ、しかも、構造が簡単な万華鏡を提供する効果を有する。
【図面の簡単な説明】
【０００８】
【図１】本発明の実施例１の万華鏡の半截断斜視図である。
【図２】該万華鏡の半截断面図である。
【図３】図２のIII−III線截断面図である。
【図４】前記万華鏡の斜視図である。
【発明を実施するための形態】
【０００９】
本発明を実施するための形態の実施例を以下に示す。
【実施例１】
【００１０】
本発明の万華鏡の実施例１を図面により説明する。
【００１１】
図１は本発明の実施例１の万華鏡の半截断斜視図、図２は該万華鏡の半截断面図、図３は図２のIII−III線截断面図、図４は前記万華鏡の斜視図である。
【００１２】
１は実施例１の万華鏡、２は該万華鏡１の筒体を示し、該筒体２はその内部に横断面が逆三角形の空室３が形成されており、該空室３の一端の閉塞面３ａに覗き穴４が形成されていると共に、他端の閉塞面３ｂに長三角形状の透孔５が形成されている。
【００１３】
又、前記空室３はその対向する両側面が下端で接触し上方に向かうに従って間隔が大となる楔状に形成され、各側面に長方形状の鏡体６がそれぞれ接着されてれいる。
【００１４】
７は容器を示し、該容器７は透明筒体７ａとその両端部にそれぞれ嵌着した半球状の蓋体７ｂとからなり、該透明筒体７ａ内に多数の彩色されている粒状体が収容されており、又、該透明筒体７ａは、前記筒体２の他端部から突設した一対の突片２ａに形成した貫通孔８に摺動及び回転が可能に挿通支持されている。
【００１５】
９は１の鏡体を示し、該１の鏡体９は複数の小鏡体９ａからなり、これら小鏡体９ａは、前記空室３の天井面の近傍で前記対向する両側面の上縁部に、等間隔で且つ前記天井面に対して緩やかに傾斜してルーバー式ミラーの如く固定されている。
【００１６】
１０は移動板を示し、該移動板１０は帯状板からなり、前記空室３内において前記天井面の近傍を前後に移動可能に設けられており、又、該移動板１０の上面に突設した操作手段である操作ロッド１１は、前記天井面に形成した長孔１２内を移動可能に貫通して上端部が天井面の上方に突出すように形成されている。
【００１７】
又、前記移動板１０の下面には、前記小鏡体９ａと等しい角度に傾斜する多数の邪魔板１３が等間隔に設けられており、これら各邪魔板１３は隣り合う前記小鏡体９ａ間の間隙を通過するように形成されれている。１４は光を反射しない非反射板を示す。
【００１８】
次に本実施例１の万華鏡１の作用と効果を説明する。
【００１９】
先ず、筒体２の空室３内に３面の鏡体がある状態の万華鏡１を楽しむときには、予め、操作ロッド１１を長孔１２に沿って移動操作して、移動板１０を箱体２の一端部の方に移動する。この移動により、各邪魔板１３を、各小鏡体９ａの鏡面が露出する状態となるように移動し、透明筒体７ａを摺動或いは回転したときの該透明筒体７ａ内の彩色されている粒状体の動きを空室３の内部に三角形状に組まれた鏡体６、９により反射し、この反射した反射像を該筐体２の一端面の覗き穴４から見る。このときの反射像は、ルーバー式ミラーの如く多数の並列して傾斜している小鏡体９ａにより反射して得られた像であるので、通常モードと異なるキラキラピカピカのキラピカモードの反射像で、しかも、鏡体の鏡面が一方から他方に向かって断面積が徐々に小さくなるテーパードミラー方式のような立体感のある映像を作り出すことができると共に、テーパードミラー方式の欠点である筐体が大きくなることがなく、無限の広がりのある種々の模様の反射像を楽しめる。
【００２０】
次に、操作ロッド１０を逆方向に移動操作して、移動板１０を箱体２の他端部の方に移動する。この移動により、各邪魔板１３が各小鏡体９ａの鏡面を覆うように移動し、この結果、天井面の個所には鏡体による反射がない状態になり、透明筒体７ａを摺動或いは回転したときの該透明筒体７ａ内の彩色されている粒状体の動きを空室３の内部の両側面の長方形状の鏡体６のみにより反射し、この反射した反射像を該筐体２の一端面の覗き穴４から見る。このときの反射像は、通常の２ミラー式の映像で、所定の半径の円形内の範囲の種々の模様を見ることができる。
【００２１】
このように、操作ロッド１０の単なる移動操作により、ルーバー式ミラーの如き前述の反射像或いは通常の２ミラー式の反射像が瞬時に切り替えて楽しむことができる。
【００２２】
尚、前記実施例１においては、操作ロッド１１を長孔１２に沿って移動操作して、移動板１０を箱体２の一端部或いは他端部の方に移動し各邪魔板１３が各小鏡体９ａの鏡面を露出するか或いは各邪魔板１３が各小鏡体９ａの鏡面を覆うように移動するようにしているが、操作手段の操作に連動して邪魔板が１の鏡体の鏡面を覆うか或いは露出するものであればいずれの機構であってもよい。
【００２３】
又、前記実施例１においては、前記空室３の内部に三角形状に鏡体６、９を組み込んだ例を示したが、四角形状等に鏡体６、９を組み込む等任意である。
【００２４】
又、前記容器に関して、前記実施例１と異なり、筒体の他端部に多数の彩色小片を収容した透明な容器を設けたものであってもよい。
【産業上の利用可能性】
【００２５】
本発明の万華鏡は、学校の理科等の教材や子供の玩具として或いは大人の趣味として利用される。
【符号の説明】
【００２６】
１      万華鏡
２      筒体
４      覗き穴
６      鏡体
７      容器
９      １の鏡体
９ａ    小鏡体
１０      移動板
１１      操作手段
１３      邪魔板
【図１】
2014052409.tif 000003
【図２】
2014052409.tif 000004
【図３】
2014052409.tif 000005
【図４】
2014052409.tif 000006